(57)【要約】 【課題】加熱手段の運転停止後、加熱手段からの高温水が貯湯タンクに逆流することを防止する貯湯式給湯装置を提供する。【解決手段】給水管２４の逆止弁４９よりも下流側の端部がバイパス管２８の略中央部分と接続され、その接続部分と切替弁２９との間のバイパス管２８の部分にバイパス管逆止弁５０が設けられているので、バイパス管逆止弁５０は切替弁２９からバイパス管２８に向かっては流れるものの、バイパス管２８から切替弁２９に向かっては流れず、ヒートポンプユニット１の冷媒−水熱交換器１２で加熱された高温水が貯湯タンク２１下部に逆流して貯湯タンク２１下部の水の温度を上昇させてしまうのを防止し、ヒートポンプユニット１への給水温度が上昇してヒートポンプユニット１のＣＯＰの低下を防止できるものである。【選択図】図１
2012026627.tif 000002
【特許請求の範囲】
【請求項１】
貯湯タンクと、圧縮機と冷媒−水熱交換器と膨張弁と蒸発器とを備え、前記貯湯タンクの下部から取り出した温水を加熱する加熱手段と、前記温水を前記貯湯タンクから前記加熱手段に送る流出管と、前記加熱手段で生成された温水を前記貯湯タンクの上部に送る流入管と、前記流入管から分岐して設けられ、前記温水を前記貯湯タンクの下部に送るバイパス管と、一端が前記バイパス管に接続されている給水管と、前記流入管を通過する前記温水の流れを前記バイパス管側に切り替える第１の状態と、前記貯湯タンクの上部側に切り替える第２の状態とに設定可能な切替弁とを備えた貯湯式給湯装置に於いて、前記給水管の逆止弁よりも下流側の端部がバイパス管の略中央部分と接続され、その接続部分と切替弁との間のバイパス管の部分に、バイパス管から切替弁に向かっては流れないようにバイパス管逆止弁を設けたことを特徴とする貯湯式給湯装置。
【請求項２】
貯湯タンクと、圧縮機と冷媒−水熱交換器と膨張弁と蒸発器とを備え、前記貯湯タンクの下部から取り出した温水を加熱する加熱手段と、前記温水を前記貯湯タンクから前記加熱手段に送る流出管と、該流出管に設けられた熱交換器入口温度検知手段と、前記加熱手段で生成された温水を前記貯湯タンクの上部に送る流入管と、前記流入管から分岐して設けられ、前記温水を前記貯湯タンクの下部に送るバイパス管と、一端が前記バイパス管に接続されている給水管と、前記流入管を通過する前記温水の流れを前記バイパス管側に切り替える第１の状態と、前記貯湯タンクの上部側に切り替える第２の状態とに設定可能な切替弁とを備えた貯湯式給湯装置に於いて、ヒートポンプ往き管の切替弁と貯湯タンク上部との間にヒートポンプ往き管逆止弁を備え、沸き上げ運転の最初と沸き上げ運転終了直後、及び除霜運転の時は切替弁を第１の状態に設定し、それ以外の時は切替弁を第２の状態に設定することを特徴とする貯湯式給湯装置。
【発明の詳細な説明】
【技術分野】
【０００１】
この発明は、ヒートポンプユニットにより湯を沸き上げてこれを貯湯するヒートポンプ式給湯機に関するものである。
【背景技術】
【０００２】
従来から、この種のものに於いては、給湯運転時にはユーザーが給湯栓を開弁することにより、給水管からの給水圧により貯湯タンク内の高温水が出湯管に向けて押し出され、貯湯タンクから押し出された７０〜９０℃程度の高温水と、分岐管からの水とが給湯混合弁によりユーザーがリモコンで設定した給湯温度となるように混合されて給湯管を介して給湯されていた。
【０００３】
この時、給水される水は給湯混合弁と貯湯タンク下部に分流する構造となっており、この貯湯タンク下部に接続されている配管は途中でヒートポンプユニットとのバイパス回路へと分岐しており、沸き上げ運転時以外は貯湯タンク下部とヒートポンプユニットのバイパス回路が形成されていた。（例えば、特許文献１）。
【先行技術文献】
【特許文献】
【０００４】
【特許文献１】特開２００７−１５５１７１号公報
【発明の概要】
【発明が解決しようとする課題】
【０００５】
ところでこの従来のものでは、給湯運転時に、給水からへの経路以外に、給水から切替弁、ヒートポンプユニットの出湯口、冷媒−水熱交換器、ヒートポンプユニットの給水口、貯湯タンク下部という逆流する経路が形成され、沸き上げ運転終了直後のようにヒートポンプユニットの冷媒−水熱交換器の温度が高い状態で給湯運転を行うと、高温の冷媒−水熱交換器により加熱された水が貯湯タンク下部に逆流して貯湯タンク下部の水の温度を上昇させてしまう。
【０００６】
このため、ヒートポンプユニットへの給水の温度が上昇してヒートポンプユニットのＣＯＰの低下や、給湯モード試験ＣＯＰの低下を招いてしまう問題があった。
【課題を解決するための手段】
【０００７】
この発明はこの点に着目し上記課題を解決する為、特にその構成を請求項１では、貯湯タンクと、圧縮機と冷媒−水熱交換器と膨張弁と蒸発器とを備え、前記貯湯タンクの下部から取り出した温水を加熱する加熱手段と、前記温水を前記貯湯タンクから前記加熱手段に送る流出管と、前記加熱手段で生成された温水を前記貯湯タンクの上部に送る流入管と、前記流入管から分岐して設けられ、前記温水を前記貯湯タンクの下部に送るバイパス管と、一端が前記バイパス管に接続されている給水管と、前記流入管を通過する前記温水の流れを前記バイパス管側に切り替える第１の状態と、前記貯湯タンクの上部側に切り替える第２の状態とに設定可能な切替弁とを備えた貯湯式給湯装置に於いて、前記給水管の逆止弁よりも下流側の端部がバイパス管の略中央部分と接続され、その接続部分と切替弁との間のバイパス管の部分に、バイパス管から切替弁に向かっては流れないようにバイパス管逆止弁を設けたものである。
【０００８】
又請求項２に係る貯湯式給湯装置では、特にその構成を、貯湯タンクと、圧縮機と冷媒−水熱交換器と膨張弁と蒸発器とを備え、前記貯湯タンクの下部から取り出した温水を加熱する加熱手段と、前記温水を前記貯湯タンクから前記加熱手段に送る流出管と、該流出管に設けられた熱交換器入口温度検知手段と、前記加熱手段で生成された温水を前記貯湯タンクの上部に送る流入管と、前記流入管から分岐して設けられ、前記温水を前記貯湯タンクの下部に送るバイパス管と、一端が前記バイパス管に接続されている給水管と、前記流入管を通過する前記温水の流れを前記バイパス管側に切り替える第１の状態と、前記貯湯タンクの上部側に切り替える第２の状態とに設定可能な切替弁とを備えた貯湯式給湯装置に於いて、ヒートポンプ往き管の切替弁と貯湯タンク上部との間にヒートポンプ往き管逆止弁を備え、沸き上げ運転の最初と沸き上げ運転終了直後、及び除霜運転の時は切替弁を第１の状態に設定し、それ以外の時は切替弁を第２の状態に設定するものである。
【発明の効果】
【０００９】
この発明の請求項１によれば、給水管の逆止弁よりも下流側の端部がバイパス管の略中央部分と接続され、その接続部分と切替弁との間のバイパス管の部分にバイパス管逆止弁が設けられ、該バイパス管逆止弁は切替弁からバイパス管に向かっては流れるものの、バイパス管から切替弁に向かっては流れないように設けられているので、沸き上げ運転終了直後のようにヒートポンプユニットが運転状態から停止状態になった後に、冷媒−水熱交換器から貯湯タンク下部に高温水が逆流するのを防止でき、それにより、冷媒−水熱交換器で加熱された高温水が貯湯タンク下部に逆流して貯湯タンク下部の水の温度を上昇させてしまうのを防止して、ヒートポンプユニット１への給水の温度が上昇してヒートポンプユニットのＣＯＰの低下や、給湯モード試験ＣＯＰの低下を防止するものである。
【００１０】
又本発明の請求項２に記載の貯湯式給湯装置によれば、ヒートポンプ往き管の切替弁と貯湯タンク上部との間にヒートポンプ往き管逆止弁を備え、沸き上げ運転の最初と沸き上げ運転終了直後、及び除霜運転の時は切替弁をバイパス管側に設定し、それ以外の時は切替弁をヒートポンプ往き管側に設定するので、貯湯タンクの上部からの高温水が逆流するのをヒートポンプ往き管逆止弁にて防止すると共に、切替弁がヒートポンプ往き管側に設定されていることで、給水管から切替弁を通過してヒートポンプ往き管から冷媒−水熱交換器に逆流しようとする水が切替弁で遮断され、冷媒−水熱交換器から貯湯タンク下部に高温水が逆流するのを防止でき、それにより、冷媒−水熱交換器で加熱された高温水が貯湯タンク下部に逆流して貯湯タンク下部の水の温度を上昇させてしまうのを防止して、ヒートポンプユニットへの給水の温度が上昇してヒートポンプユニットのＣＯＰの低下や、給湯モード試験ＣＯＰの低下を防止するものである。
【図面の簡単な説明】
【００１１】
【図１】この発明の一実施形態を示す貯湯式給湯装置の概略構成図。
【図２】この発明の他の実施形態を示す貯湯式給湯装置の概略構成図。
【図３】同実施形態のフローチャート図。
【発明を実施するための形態】
【００１２】
次に、この発明を適用した第１実施形態を図１に基づいて説明する。
本実施形態の貯湯式給湯装置Ａは、ヒートポンプユニット（加熱手段）１、貯湯タンクユニット２、給湯制御部３などを備えて構成されている。
なお、本実施形態では、後記する貯湯タンク２１の下部から取り出される温水を低温水（低温度の水；例えば５〜２０℃程度）とし、ヒートポンプユニット１で加熱された温水を高温水（高温度の水；例えば７０〜９０℃程度）として説明している。
【００１３】
前記ヒートポンプユニット１は、圧縮機１１と、凝縮器としての冷媒−水熱交換器１２と、減圧器としての膨張弁１３と、強制空冷式の蒸発器１４で構成されたヒートポンプ回路１５と、このヒートポンプ回路１５を駆動制御するヒートポンプ制御部５とを備えている。
なお、このヒートポンプ回路１５では、例えば、冷媒として二酸化炭素が用いられて超臨界ヒートポンプサイクルが構成されている。
また、冷媒に二酸化炭素を用いているので、低温水を電熱ヒータなしで約９０℃の高温まで沸き上げることが可能になっている。
【００１４】
また、前記ヒートポンプユニット１では、冷媒−水熱交換器１２の前記ヒートポンプ回路１５とは別に設けられた流路の一端に、後記する貯湯タンクユニット２から延びるヒートポンプ戻り管（流出管）２５が接続され、このヒートポンプ戻り管２５に熱交換器入口温度センサＴ１が設けられている。
また、冷媒−水熱交換器１２の他端には、後記する貯湯タンクユニット２から延びるヒートポンプ往き管（流入管）２６が接続され、このヒートポンプ往き管２６に熱交換器出口温度センサＴ２が設けられている。
また、ヒートポンプユニット１には、外気の温度を検出するための外気温度センサＴ３が設けられている。
【００１５】
なお、前記冷媒−水熱交換器１２では、冷媒と被加熱水（低温水）とが対向して流れる対向流方式を採用しており、前記超臨界ヒートポンプサイクルによって熱交換時において冷媒が超臨界状態のまま凝縮されるため効率よく高温まで被加熱水を加熱することができる。
また、冷媒−水熱交換器１２の入口側の熱交換器入口温度センサＴ１の温度と、出口側の熱交換器出口温度センサＴ２の温度との温度差が一定になるように前記した膨張弁１３または圧縮機１１を制御することで、被加熱水（低温水）の冷媒−水熱交換器１２の入口温度が５〜２０℃程度の低い温度である場合に、ＣＯＰ（エネルギー消費効率）が３．０以上の高い効率で被加熱水を加熱することが可能になっている。
【００１６】
前記貯湯タンクユニット２は、上下方向（天地方向）に細長い貯湯タンク２１を有し、この貯湯タンク２１の上部に出湯管２３、下部に給水管２４がそれぞれ貯湯タンク２１の内部と連通するように接続されている。
前記給水管２４は、水道管と接続されて水（水道水）が供給されるようになっており、水道管からの給水圧を所定の圧力に減圧するための減圧弁３６、給水管２４を流れる水の温度を検出する給水温度センサ３７などが設けられ、更に給水管２４から分岐する分岐管３０との接続部分よりも下流側に逆止弁４９が設けられているものである。
【００１７】
前記貯湯タンク２１には、上下方向に配置された複数個の温度センサからなる貯湯温度センサＴ４が設けられている。
この貯湯温度センサＴ４は、貯湯タンク２１内の上下方向の温度分布を検知するものであり、貯湯タンク２１内にどれだけの熱量が残っているかを検知するものである。
【００１８】
また、貯湯タンク２１には、その下部に前記ヒートポンプ戻り管２５の端部が、上部に前記ヒートポンプ往き管２６の端部がそれぞれ貯湯タンク２１の内部と連通するように接続されている。
また、ヒートポンプ戻り管２５には循環ポンプ２７が設けられ、この循環ポンプ２７の駆動力によって、貯湯タンク２１内の被加熱水（低温水）が、ヒートポンプ戻り管２５を介して冷媒−水熱交換器１２に送り込まれ、ヒートポンプ往き管２６を介して冷媒−水熱交換器１２から送り出されるようになっている。
なお、本実施形態では、循環ポンプ２７がヒートポンプユニット１側に設けられているが、これに限定されず、貯湯タンクユニット２側に設けられていてもよい。
【００１９】
また、貯湯タンク２１には、バイパス管２８が接続されている。
このバイパス管２８は、その一端がヒートポンプ往き管２６の途中に切替弁２９を介して接続され、他端が給水管２４の貯湯タンク２１の近傍に接続されている。
前記給水管２４は、逆止弁４９よりも下流側の端部がバイパス管２８の略中央部分と接続され、その接続部分と切替弁２９との間のバイパス管２８の部分にバイパス管逆止弁５０が設けられているものである。
【００２０】
切替弁２９は、例えば電磁式の三方弁からなり、ヒートポンプ往き管２６からバイパス管２８を介して貯湯タンク２１の下部に（バイパス側に）流路を切り替える第１の状態と、ヒートポンプ往き管２６から貯湯タンク２１の上部に（沸き上げ側に）流路に切り替える第２の状態とに設定可能となっている。
【００２１】
前記出湯管２３は、給水管２４から分岐した分岐管３０と、給湯混合弁３１を介して接続されている。
この給湯混合弁３１は、出湯管２３を介して取り出された高温水と、分岐管３０からの水（水道水）とを混合する弁であり、ユーザーが、後記するリモコン４で設定した給湯設定温度になるように混合比率を制御するものである。
また、給湯混合弁３１には給湯管３２が接続され、この給湯管３２に、給湯混合弁３１で混合された湯水の温度を検知する給湯温度センサＴ５と、湯水の流量を検知する給湯流量センサ３４とが設けられている。
また、給湯管３２の末端には給湯栓３５が設けられ、この給湯栓３５が台所、浴室、洗面などに設けられる。なお、前記出湯管２３には、貯湯タンク２１の加圧を逃がすための加圧逃がし弁３８が設けられている。
【００２２】
また、本実施形態の貯湯式給湯装置Ａには、浴槽Ｂが設けられている。
この浴槽Ｂは、ふろ往き管４１の一端と、ふろ戻り管４２の一端とがそれぞれ接続されている。
また、貯湯タンク２１内の上部には、浴槽Ｂに貯められている湯水を加熱するためのステンレス製の蛇管よりなるふろ熱交換器４３が設けられ、このふろ熱交換器４３の入口にふろ往き管４１の他端が接続され、出口にふろ戻り管４２の他端が接続されている。
【００２３】
また、ふろ往き管４１には、浴槽Ｂからふろ熱交換器４３へ流れる湯水の温度を検知するふろ往き温度センサＴ６、および浴槽Ｂとふろ熱交換器４３との間で湯水を循環させるふろ循環ポンプ４８が設けられ、ふろ戻り管４２には、ふろ熱交換器４３から浴槽Ｂへ流れる湯水の温度を検知するふろ戻り温度センサＴ７が設けられている。
ふろ循環ポンプ４８を作動させることにより浴槽Ｂ内に貯められた湯水がふろ熱交換器４３に送られて、ふろ熱交換器４３で湯水が加熱されることで、浴槽Ｂ内の湯水の保温あるいは追い焚きが行われるようになっている。
【００２４】
また、前記ふろ往き管４１は、湯張り管４４を介して給湯管３２と接続されている。
この湯張り管４４には、浴槽Ｂへの湯張りの開始／停止を行う湯張り弁４５と、浴槽Ｂへの湯張り量をカウントするふろ流量カウンタ４６と、浴槽Ｂ内の湯水が給湯管３２へ逆流するのを防止する逆止弁４７とが設けられている。
これにより、浴槽Ｂを湯張りする場合には、湯張り弁４５を開弁することで、後記するリモコン４で所望のふろ温度に設定された湯水が給湯混合弁３１から湯張り管４４およびふろ往き管４１を通って浴槽Ｂに供給される。
【００２５】
また、前記貯湯タンクユニット２には、給湯制御部３が設けられている。
この給湯制御部３は、ＣＰＵ（Ｃｅｎｔｒａｌ Ｐｒｏｃｅｓｓｉｎｇ Ｕｎｉｔ）や記憶装置、入出力装置などで構成され、各種温度センサＴ１〜Ｔ７からの温度情報などを取得するとともに、循環ポンプ２７、ふろ循環ポンプ４８の出力、切替弁２９の流路切り替え、給湯混合弁３１の混合比率、湯張り弁４５の開閉などを制御する。
【００２６】
前記リモコン４は、給湯温度を設定するための給湯温度設定スイッチ４ａ、ふろ温度を設定するためのふろ温度設定スイッチ４ｂ、設定されたふろ温度の湯をリモコン４に設けられた湯張り量設定スイッチ（図示せず）で設定された湯張り量で湯張りして所定時間保温するためのふろ自動スイッチ４ｃ、追い焚きを行うための追い焚きスイッチ４ｄ、貯湯タンク２１内の湯水を昼間時間帯においても一定量沸き増しさせるための沸き増しスイッチ４ｅ、給湯温度や貯湯タンク２１内の残湯量などの表示を行う液晶表示パネルからなる表示部４ｆ、ブザー音や音声案内を行うスピーカ（図示せず）、これらを総合的に制御するリモコン制御部（図示せず）などを備えている。
また、リモコン４は、給湯制御部３と有線または無線により接続され、リモコン４で設定した情報が給湯制御部３に送られる。
【００２７】
次に、本実施形態の貯湯式給湯装置Ａの運転制御について説明する。
まず、貯湯式給湯装置Ａの沸き上げ運転について説明する。
給湯制御部３は、深夜電力時間帯になって、貯湯温度センサＴ４に基づいて貯湯タンク２１内に翌日に必要な熱量が残っていないことを検知すると、ヒートポンプ制御部５に対して沸き上げ開始指令を発する。
この指令を受けたヒートポンプ制御部５は、圧縮機１１を起動した後に循環ポンプ２７の駆動を開始する。
【００２８】
このときの切替弁２９は、第２の状態、つまり沸き上げ側（貯湯タンク２１の上部側）に流路が切り替えられた状態で、貯湯タンク２１内の下部から５〜２０℃程度の低温水が取り出され、この取り出された低温水がヒートポンプ戻り管２５を介して冷媒−水熱交換器１２に送られて７０〜９０℃程度の高温に加熱される。冷媒−水熱交換器１２からヒートポンプ往き管２６に送り出された高温水は、貯湯タンク２１の上部から貯湯タンク２１内に投入される。
ちなみに、貯湯タンク２１には、例えば、上部に高温水、下部に低温水が貯められることになるが、これはその温度差により比重差が発生し、温度境界層を形成して比重の軽い高温水が上部に、比重の重い低温水が下部に位置するので、互いに混じり合うことがない。
【００２９】
その後、給湯制御部３では、貯湯温度センサＴ４から得られる貯湯タンク２１の温度分布情報に基づいて必要な熱量が貯湯されたことを検知すると、ヒートポンプ制御部５に対して沸き上げ停止指令を発し、圧縮機１１を停止するとともに循環ポンプ２７を停止して、沸き上げ運転を終了する。
【００３０】
また、給湯運転時には、ユーザーが給湯栓３５を開弁することにより、給水管２４からの給水圧により貯湯タンク２１内の高温水が出湯管２３に向けて押し出される。
貯湯タンク２１から押し出された７０〜９０℃程度の高温水と、分岐管３０からの水とが給湯混合弁３１において、ユーザーがリモコン４で設定した給湯温度となるように混合されて給湯管３２を介して給湯される。
【００３１】
本実施例では、給水管２４の逆止弁４９よりも下流側の端部がバイパス管２８の略中央部分と接続され、その接続部分と切替弁２９との間のバイパス管２８の部分にバイパス管逆止弁５０が設けられているが、バイパス管逆止弁５０は切替弁２９からバイパス管２８に向かっては流れるものの、バイパス管２８から切替弁２９に向かっては流れないように設けられているため、沸き上げ運転終了直後のようにヒートポンプユニット１が運転状態から停止状態になった後に、冷媒−水熱交換器１２から貯湯タンク２１下部に高温水が逆流するのを防止でき、それにより、冷媒−水熱交換器１２で加熱された高温水が貯湯タンク２１下部に逆流して貯湯タンク２１下部の水の温度を上昇させてしまうのを防止して、ヒートポンプユニット１への給水の温度が上昇してヒートポンプユニット１のＣＯＰの低下や、給湯モード試験ＣＯＰの低下を防止するものである。
【００３２】
次にこの発明を適用した第２実施形態を図２及び図３に基づいて説明する。
尚、本第２実施形態は、先に説明した第１実施形態のバイパス管逆止弁５０を備えず、又ヒートポンプ往き管２６の切替弁２９と貯湯タンク２１上部との間にヒートポンプ往き管逆止弁５１を備えて構成されているものである。
【００３３】
次に本第２実施形態の切替弁２９の制御について図３のフローチャートに従って説明する。
まず貯湯式給湯装置Ａが沸き上げ運転を開始するかどうかを検知し（Ｓ１）、沸き上げ運転を開始する場合、切替弁２９をバイパス管２８側に設定する。（Ｓ２）
【００３４】
沸き上げ運転開始後、熱交換器出口温度センサＴ２の検知した温度が所定温度以上になると（Ｓ３）、給湯制御部３は貯湯する高温水になったと判断して、切替弁２９を一端が貯湯タンク２１の上部に接続されたヒートポンプ往き管２６側に設定して（Ｓ４）、ヒートポンプユニット１により加熱された高温水を貯湯タンク２１上部に供給するものである。
【００３５】
そして貯湯温度センサＴ４の検知温度から貯湯タンク２１に高温水が貯湯されて沸き上げ運転が終了すると（Ｓ５）、切替弁２９をバイパス管２８側に設定し（Ｓ６）、ヒートポンプユニット１による加熱を停止した状態で循環ポンプ２７を動作させ続け、熱交換器出口温度センサＴ２の検知した温度が所定温度以下になると（Ｓ７）、ヒートポンプ往き管２６の温度が下がったと判断して、切替弁２９をヒートポンプ往き管２６側に設定するものである。（Ｓ８）
【００３６】
又（Ｓ１）で貯湯式給湯装置Ａが沸き上げ運転を開始しない時は、次に除霜運転を開始するかどうかを検知し（Ｓ９）、除霜運転を開始する時は切替弁２９をバイパス管２８側に設定し（Ｓ１０）、そして除霜運転が終了すると（Ｓ８）へ進むものである。
【００３７】
以上のようにヒートポンプ往き管２６の切替弁２９と貯湯タンク２１上部との間にヒートポンプ往き管逆止弁５１を備え、沸き上げ運転の最初と沸き上げ運転終了直後、及び除霜運転の時は切替弁２９をバイパス管２８側に設定し、それ以外の時は切替弁２９をヒートポンプ往き管２６側に設定するので、貯湯タンク２１の上部からの高温水が逆流するのをヒートポンプ往き管逆止弁５１にて防止すると共に、切替弁２９がヒートポンプ往き管２６側に設定されていることで、給水管２４から切替弁２９を通過してヒートポンプ往き管２６から冷媒−水熱交換器１２に逆流しようとする水が切替弁２９で遮断され、冷媒−水熱交換器１２から貯湯タンク２１下部に高温水が逆流するのを防止でき、それにより、冷媒−水熱交換器１２で加熱された高温水が貯湯タンク２１下部に逆流して貯湯タンク２１下部の水の温度を上昇させてしまうのを防止して、ヒートポンプユニット１への給水の温度が上昇してヒートポンプユニット１のＣＯＰの低下や、給湯モード試験ＣＯＰの低下を防止するものである。
【符号の説明】
【００３８】
１  加熱手段
３  制御部
１１  圧縮機
１２  冷媒−水熱交換器
１３  膨張弁
１４  蒸発器
２１  貯湯タンク
２４  給水管
２５  流出管
２６  流入管
２８  バイパス管
２９  切替弁
５０  バイパス管逆止弁
【図１】
2012026627.tif 000003
【図２】
2012026627.tif 000004
【図３】
2012026627.tif 000005